(57)【特許請求の範囲】
【請求項１】
ワイパー本体と、該ワイパー本体を収納し、長手方向に沿う外面中央にワイパーブレードを垂下するカバーとから成る雪用ワイパーにおいて、ワイパー本体が雨用ワイパーから成り、カバーが雨用ワイパーのワイパーブレードの下端部を嵌着する案内溝を上部中央に設けた収納レールを一体に内蔵して成る雪用ワイパー。
【請求項２】
雨用ワイパーを収納する空間を有し、長手方向の中央上部の開口部を開閉自在な開閉蓋で閉塞し、長手方向の一端をキャップで閉塞し、他端に開口部と該開口部を開閉自在に閉塞するキャップを配設し、長手方向に沿う内面中央には縦断面矩形筒体で上部中央に案内溝を有する収納レールを一体に内蔵するとともに、外面中央にワイパーブレードを垂下して成るワイパーカバー。
【請求項３】
雨用ワイパーを収納する空間を形成できる所要形状の平面積を有するカバー本体の長手方向に沿う内面中央に、雨用ワイパーのワイパーブレードの下端部を嵌着する案内溝を上部中央に設けた収納レールを一体に配設するとともに、外面中央にワイパーブレードを垂下し、長手方向に沿う両辺縁に接合手段を配設するとともに、いずれか一辺の中央部に開閉蓋用の蓋片を配設し、前記両辺縁を接合手段で接合したときに形成される長手方向両端の開口部をそれぞれキャップで閉塞して成るワイパーカバー。
【発明の詳細な説明】
【０００１】
【発明の属する技術分野】
自動車の運転操作に関連する部品に属し、冬期のフロント窓ガラスやリヤ窓ガラスを掃き取り洗浄する自動車の雪用ワイパーとワイパーカバーに関する。
【０００２】
【従来の技術】
従来から提供されている雪用ワイパーは、冬期使用専用としてのものであり、冬期以外では雨用ワイパーと交換して使用されるものである。したがって、経済面から考察すれば、不経済なものであり、雪用ワイパーが簡単に雨用ワイパーに転用できる技術が要望されるところである。
【０００３】
【発明が解決しようとする課題】
本発明は上記に鑑み、雪用ワイパーが簡単に雨用ワイパーに転用できる雪用ワイパーと、雨用ワイパーを簡単に雪用ワイパーにすることのできるワイパーカバーとを提供するものである。
【０００４】
【課題を解決するための手段】
第１発明の雪用ワイパーは、ワイパー本体と、該ワイパー本体を収納し、長手方向に沿う外面中央にワイパーブレードを垂下するカバーとから成る雪用ワイパーにおいて、ワイパー本体が雨用ワイパーから成り、カバーが雨用ワイパーのワイパーブレードの下端部を嵌着する案内溝を上部中央に設けた収納レールを一体に内蔵して成る。
【０００５】
第２発明のワイパーカバーは、雨用ワイパーを収納する空間を有し、長手方向の中央上部の開口部を開閉自在な開閉蓋で閉塞し、長手方向の一端をキャップで閉塞し、他端に開口部と該開口部を開閉自在に閉塞するキャップを配設し、長手方向に沿う内面中央には縦断面矩形筒体で上部中央に案内溝を有する収納レールを一体に内蔵するとともに、外面中央にワイパーブレードを垂下して成る。
【０００６】
第３発明のワイパーカバーは、雨用ワイパーを収納する空間を形成できる所要形状の平面積を有するカバー本体の長手方向に沿う内面中央に、雨用ワイパーのワイパーブレードの下端部を嵌着する案内溝を上部中央に設けた収納レールを一体に配設するとともに、外面中央にワイパーブレードを垂下し、長手方向に沿う両辺縁に接合手段を配設するとともに、いずれか一辺の中央部に開閉蓋用の蓋片を配設し、前記両辺縁を接合手段で接合したときに形成される長手方向両端の開口部をそれぞれキャップで閉塞して成る。
【０００７】
【発明の実施の形態】
雨用ワイパーのワイパーブレードを収める収納レールの長さ及び断面形状は車種毎のワイパーブレードに対応して選択され、ワイパーカバーに用いられる接合手段は、面状ファスナーから、一般的なファスナー、或は雌雄嵌合によるチャックまで選択され、カバー本体は防水性と弾性を有するものが選択される。
【０００８】
【実施例】
本発明を実施例により説明すると、本発明の提案する雪用ワイパーａは、図１に示すように、防水性と弾性を有するカバー１で、雨用ワイパー２を密封し、上面にワイパーアーム（図外）に接合する取付け金具３を露出し、下面にワイパーブレード４を垂下し、内面には図２に示すように、雨用ワイパー２のワイパーブレード５の下端部を嵌着案内して収納する収納レール６を一体に内蔵して成る。この収納レール６は縦断面矩形筒体の上部中央の案内溝７にワイパーブレード５の下端部の絞り部８を嵌着するものであるから、カバー１の下面は雨用ワイパー２と一体化されて使用されるものである。
このようにして成る雪用ワイパーａは、冬期間使用されるものであるが、カバー１の下面に垂下されたワイパーブレード４が損耗したときは、カバー１を剥ぎ取れば、その内部の雨用ワイパー２が無傷の状態で使用できるので極めて経済的なものとなる。
【０００９】
図３に示したワイパーカバーｂについて説明すると、前記雨用ワイパー２を収納できる空間を有して形成されたカバー本体９は、長手方向の中央上部の開口部１０を開閉自在な開閉蓋１１で閉塞し、長手方向の一端をキャップ１２で閉塞し、他端に開口部１３と該開口部１３を開閉自在に閉塞するキャップ１４を配設し、長手方向に沿う内面中央には、図４に示すように、縦断面矩形筒体で上部中央に案内溝７を有する収納レール６を一体に内蔵するとともに、外面中央にワイパーブレード４を一体に垂下して成る。
したがって、使用に際しては長手方向他端の開口部１３から雨用ワイパー２を挿入し、該雨用ワイパー２のワイパーブレード５を収納レール６の案内溝７に案内して中央上部の開口部１０から取付け金具３を露出させ、挿入後、他端の開口部１３に図７に示すキャップ１４を被蓋して接着剤などで固定し、前記取付け金具３にワイパーアーム（図外）を接合し、この状態で該取付け金具３を覆うようにして開閉蓋１１で、その内面に一体の面状ファスナー１５をカバー本体９の外面に一体の面状ファスナー１６に接合し、中央上部の開口部１０を塞ぐものである。
【００１０】
次に、図５に示すワイパーカバーｃについて説明すると、前記雨用ワイパー２を収納する空間を形成できる所要形状の平面積を有するカバー本体１７の長手方向に沿う内面中央には、図６に示すように、縦断面矩形筒体で上部中央に案内溝７を有する収納レール６を一体に配設するとともに、外面中央にワイパーブレード４を一体に垂下し、長手方向に沿う両辺縁には接合手段として、一辺（上辺）の中央部を除く内面と、他辺（下辺）の外面にそれぞれ面状ファスナー１８、１９を配設するとともに、前記上辺の中央部に突出する開閉蓋としての蓋片２０を配設し、該蓋片２０の上部内面と該上部内面の当接する他辺側外面にそれぞれ面状ファスナー２１、２２を一体に配設し、前記両辺縁を接合したときに形成される長手方向両端の開口部２３を閉塞するキャップ１４を付属品として成る。
【００１１】
このようにして成るワイパーカバーｃは、収納レール６の案内溝７に、雨用ワイパー２のワイパーブレード５の下端部の絞り部８を嵌着し、雨用ワイパー２をカバー本体１７で包んで一辺の面状ファスナー１８を他辺の面状ファスナー１９に接合し、両端の開口部２３に図７で示すキャップ１４を被蓋し、接着剤などで固定し、蓋片２０と他辺との隙間から雨用ワイパー２の取付け金具３を露出させ、該取付け金具３にワイパーアーム（図外）を取り付けた状態で蓋片２０を被せ、該蓋片２０に一体の面状ファスナー２１をカバー本体１７の外面に一体の面状ファスナー２２に接合して使用に供されるものである。
したがって、該ワイパーカバーｃは、雨用ワイパー２に被覆されて該雨用ワイパー２を即刻雪用ワイパーに転用できることとなり、専用の雪用ワイパーを購入するまでもなく、経済的に冬期間の運転に対応できるものである。なお、上記面状ファスナー１８、１９に代えて図８に示すような、雌雄嵌合によるチャック２４、２５や、その他一般的なファスナーなども利用できることは勿論である。
【００１２】
【発明の効果】
以上のように本発明によれば、雪用ワイパーが損耗したときは、雨用ワイパーとして使用できるから、従来の雪用ワイパーに比してその寿命が特段に延命され、また、既存の雨用ワイパーは、ワイパーカバーを使用することにより安価に雪用ワイパーに転用できるなど、経済的にも省資源上からも極めて有益である。
【図面の簡単な説明】
【図１】本発明に係わる雪用ワイパーａの正面図。
【図２】図１のＡ−Ａ矢視拡大断面図。
【図３】本発明に係わるワイパーカバーｂの正面図。
【図４】図３のＢ−Ｂ矢視拡大断面図。
【図５】本発明に係わるワイパーカバーｃのカバー本体１７を展開した平面図。
【図６】図５のＣ−Ｃ矢視拡大断面図。
【図７】キャップ１４の斜視図。
【図８】チャック２４、２５の縦断面図。
【符号の説明】
１  カバー
２  雨用ワイパー
３  取付け金具
４  ワイパーブレード
５  ワイパーブレード
６  収納レール
７  案内溝
８  絞り部
９  カバー本体
１０  開口部
１１  開閉蓋
１２  キャップ
１３  開口部
１４  キャップ
１５  面状ファスナー
１６  面状ファスナー
１７  カバー本体
１８  面状ファスナー
１９  面状ファスナー
２０  蓋片
２１  面状ファスナー
２２  面状ファスナー
２３  開口部
２４  チャック
２５  チャック
ａ  雪用ワイパー
ｂ  ワイパーカバー
ｃ  ワイパーカバー
【図１】
0004038746.tif 000002
【図２】
0004038746.tif 000003
【図３】
0004038746.tif 000004
【図４】
0004038746.tif 000005
【図５】
0004038746.tif 000006
【図６】
0004038746.tif 000007
【図７】
0004038746.tif 000008
【図８】
0004038746.tif 000009